(57)【特許請求の範囲】
【請求項１】
本体を開閉するドアの前面に配設された主鍵装置と、前記本体に固定されたロックプレートと、前記ドアに設けられ、前記主鍵装置の操作によって移動することにより、前記ロックプレートに係脱自在に係合するロックアングルとを備えた自動販売機において、
前記ドアの前面に配設された補助鍵装置と、前記ドアに設けられたロック棒とを備え、このロック棒は、前記補助鍵装置の操作によって移動し、施錠状態では前記ロックプレートに前記ロックアングルが係合している状態で前記ロックプレート及びロックアングルを貫通すると共に、解錠状態では前記ロックプレートから抜けることを特徴とする自動販売機の施錠装置。
【発明の詳細な説明】
【０００１】
【発明の属する技術分野】
本発明は自動販売機に関し、特に、ドアを施錠する鍵の破壊などによる盗難の発生を防止した施錠装置に関するものである。
【０００２】
【従来の技術】
従来よりこの種自動販売機は路端や屋外等に設置されており、その内部には商品と共に売上代金が収納されているため、特に人気の少ない夜間等にドアの施錠装置をドリルなどの工具で強引に破壊し、内部に収納された金銭が窃盗される盗難事件が発生することが多々ある。
【０００３】
そこで、例えば本体のドアを開閉する施錠装置の鍵穴をドアの側面、或いは、保護カバーや凹部等の内部に配設して人目に触れ難くし、それによって、正面から鍵を挿入できないようにして、工具などの異物が鍵穴へ挿入されてしまうのを困難にし、施錠装置が容易に破壊されることを防止するものもあった。
【０００４】
【発明が解決しようとする課題】
しかしながら、何れにしても自動販売機のドアは一箇所しか施錠されていないため、施錠装置が破壊されてしまうとドアは開放してしまい、内部に収納された売上代金は容易に取り出されてしまう。そのため、近年では自動販売機のドアと本体をチェーンで連結してドアの施錠が破壊された場合でもドアが開かないようにしたものもあるが、自動販売機の本体にチェーンなどを取り付けると、それらが本体より外側に大きく張り出してしまうため、設置スペースが拡大されてしまう問題や自動販売機の外観が損なわれてしまう問題が生じる。
【０００５】
本発明は、係る従来技術の課題を解決するために成されたものであり、ドアの施錠をより確実にし、然も、外観を損なわない自動販売機の施錠装置を提供することを目的とする。
【０００６】
【課題を解決するための手段】
即ち、請求項１の発明の施錠装置は、本体を開閉するドアの前面に配設された主鍵装置と、本体に固定されたロックプレートと、ドアに設けられ、主鍵装置の操作によって移動することにより、ロックプレートに係脱自在に係合するロックアングルとを備えた自動販売機に適用され、ドアの前面に配設された補助鍵装置と、ドアに設けられたロック棒とを備え、このロック棒は、補助鍵装置の操作によって移動し、施錠状態ではロックプレートにロックアングルが係合している状態でロックプレート及びロックアングルを貫通すると共に、解錠状態ではロックプレートから抜けるものである。
【０００７】
【発明の実施の形態】
次に、図面に基づき本発明の実施形態を詳述する。図１は本発明を適用した自動販売機１の正面図、図２は自動販売機１の補助鍵装置１１の鍵機構部１６の正面図、図３は図２の補助鍵装置１１の鍵機構部１６の側面図をそれぞれ示している。
【０００８】
実施例の自動販売機１は、商品が収納された本体２と、この本体２の一側（この場合左側）に設けられた図示しないヒンジによって回動自在に枢支され、本体２の前面を開閉自在に閉塞するドア４とから構成されており、売上代金はこのドア４の内側の図示しないコインメカに収納される。
【０００９】
このドア４の前面には商品展示部及び商品選択部が設けられており、この商品展示部及び商品選択部には、商品見本５と商品選択ボタン６が横方向に複数設けられ、これが上下に三段配置されている。
【００１０】
また、この商品展示部及び商品選択部と所定の間隔を存して下方には、金銭投入口７が設けられると共に、ドア４の下方には、商品取出口８が設けられている。尚、７Ａは金銭返却口である。
【００１１】
そして、ヒンジの反対側となるドア４の右側端部近傍には、防犯装置としてドア４の施錠及び解錠を行なうための主鍵装置１０が設けられている。この主鍵装置１０は主鍵孔１０Ａと、ロックプレート１２とロックアングル１５とから構成されており、主鍵孔１０Ａに鍵（図示せず）を差し込んで操作することにより、ドア４の施錠と解錠ができるように構成されている。尚、９はドア４を開けるときに使用する把手であり、主鍵装置１０が解錠された場合にドア４から突出するものである。
【００１２】
前記ロックプレート１２は所定の厚さの鉄材或いはステンレス材などの容易に変形破損しない金属板で構成されており、本体２内の上下二箇所に固定されている。また、ロックアングル１５も同様の金属材料にて構成されており、両ロックプレート１２、１２に対応する位置のドア４の内側に上下に延在し、且つ、上下移動自在に設けられている。
【００１３】
両ロックプレート１２、１２の先端部には上方を開口した係合溝１３、１３が形成されており、この係合溝１３、１３にはドア４に設けられたロックアングル
１５が係脱可能に係合する。また、下方のロックプレート１２には所定の大きさ
の挿通穴１４が設けられており、この挿通穴１４には後述するロック棒１７が貫
通する。
【００１４】
また、ロックアングル１５は把手９と連動して上下移動するように構成されている。更に、ロックアングル１５には係合部１５Ａ、１５Ａが上下に設けられており、この係合部１５Ａ、１５Ａにロックプレート１２、１２が進入し、係合溝１３、１３が係合部１５Ａ、１５Ａに係合する。そして、ドア４が閉じられた状態で把手９を操作（この場合、時計方向に回動する）し、ロックアングル１５を下方に移動させると、ロックアングル１５の両係合部１５Ａ、１５Ａは、ロックプレート１２、１２に設けられた両係合溝１３、１３に挿入係合されるように構成されている。
【００１５】
係るロックアングル１５とロックプレート１２、１２との係合によってドア４は開けられなくなる。そして、主鍵装置１０の主鍵孔１０Ａに鍵を差し込んで操作を行なうことにより把手９は操作不能となり、ロックアングル１５の上下移動も禁止されてドア４は施錠される。
【００１６】
更に、自動販売機１のドア４には係る主鍵装置１０とは別にその下方に補助鍵装置１１が設けられている。この補助鍵装置１１は主鍵装置１０（主鍵孔１０Ａ）が操作、或いは、破壊された場合でもドア４の開閉を阻止するもので、鍵機構部１６と補助鍵孔１６Ａとから構成されている。
【００１７】
鍵機構部１６はロック棒１７と前記ロックアングル１５とから構成され、ロック棒１７は鉄材或いはステンレス材などの容易に変形破損しない所定の径、所定の長さの金属棒で構成されている。ロック棒１７の一方は連結部材１８に回動自在に接続されており、この連結部材１８は補助鍵孔１６Ａに図示しない鍵を挿入して操作することにより左右方向に移動するように構成されている。
【００１８】
即ち、ロック棒１７は補助鍵孔１６Ａに鍵を挿入して操作することにより、連結部材１８を介してロック棒１７をその長手方向（左右方向）に移動させるように構成されている。
【００１９】
一方、係合部１５Ａに対応する位置のロックアングル１５の側面にはロック穴１５Ｂが穿設されており、このロック穴１５Ｂにロック棒１７が挿通されるように構成されている。即ち、ロック棒１７はロックプレート１２、１２に設けられた係合溝１３、１３にロックアングル１５が係合された状態で、下側のロックプレート１２のロック穴１５Ｂとロックアングル１５の挿通穴１４を貫通する。これによって、ロックアングル１５がロックプレート１２の係合溝１３に係合された状態を保持するように構成されている。
【００２０】
また、連結部材１８にはロック棒１７を一方から他方に常時付勢するコイルバネ１９が設けられている。このコイルバネ１９の一側は連結部材１８のロック棒１７側に取り付けられると共に、他側はドア４内（図示せず）に取り付けられている。そして、補助鍵孔１６Ａに鍵を挿入して半時計方向に回動し、施錠することにより、ロック棒１７の先端は前記挿通穴１４に貫通されると共に、時計方向に回動し、解錠することによりコイルバネ１９の付勢力によりロック棒１７は挿通穴１４より脱出するように構成されている。
【００２１】
係る構成により、補助鍵孔１６Ａに鍵を挿入して操作することにより、連結部材１８を介してロック棒１７がロックプレート１２の挿通穴１４に貫通されると共に、ロックアングル１５のロック穴１５Ｂにも挿通されるので、ロックアングル１５は移動不能となり、主鍵装置１０の施錠に加えて補助鍵装置１１が施錠され、自動販売機１のドア４は二重ロックされるようになる。
【００２２】
即ち、主鍵装置１０（主鍵孔１０Ａ）が操作、或いは、破壊され、把手９が操作されてもロック棒１７によってロックプレート１２の係合溝１３からロックアングル１５が外されてしまうのが阻止される。従って、主鍵装置１０が操作、或いは、破壊された場合でも、補助鍵装置１１によってロックアングル１５の上下移動が阻止されるので、ドア４の開閉を阻止することが可能となる。
【００２３】
このように、本発明では自動販売機１のドア４の前面に設けられた主鍵装置１０に補助鍵装置１１を設けて二重ロックを行なっており、補助鍵装置１１は補助鍵孔１６Ａに鍵を挿入して操作するだけで、ロック棒１７をロックプレート１２の挿通穴１４とロックアングル１５のロック穴１５Ｂに貫通させることができる。これにより、主鍵装置１０が操作、或いは、破壊された場合でも、更に補助鍵装置１１が操作され、ロック棒１７がロックプレート１２から抜かれない限りドア４の開放を阻止することが可能となる。
【００２４】
また、補助鍵装置１１は補助鍵孔１６Ａをドア４前面に設けると共に、鍵機構部１６をドア４内に設けているので、従来のようにアームロックを自動販売機の外側に設けた施錠装置の如く外観を損ねてしまう問題や設置スペースが広くなってしまう問題も解消される。
【００２５】
【発明の効果】
以上詳述した如く請求項１の発明によれば、本体を開閉するドアの前面に配設された主鍵装置と、本体に固定されたロックプレートと、ドアに設けられ、主鍵装置の操作によって移動することにより、ロックプレートに係脱自在に係合するロックアングルとを備えた自動販売機において、ドアの前面に補助鍵装置を配設し、更にドアにはロック棒を設け、このロック棒が、補助鍵装置の操作によって移動し、施錠状態ではロックプレートにロックアングルが係合している状態でロックプレート及びロックアングルを貫通すると共に、解錠状態ではロックプレートから抜けるようにしたので、施錠状態では主鍵装置が操作されても、補助鍵装置が操作されてロック棒がロックプレートから抜かれない限り、ロックアングルとロックプレートの係合は解除できなくなり、ドアの開放は禁止されることになる。これにより、ドアは二重にロックされるので、主鍵装置の破壊による盗難事件を効果的に防止することができるようになる。
【００２６】
特に、補助鍵装置は従来のアームロックの如くドアから大きく張り出すものではないので、外観や設置スペース上の問題を生起する危険性も少ない。また、既存のロックアングルやロックプレートを使用して二重ロックを行うので、コストの高騰も最小限に抑えられるものである。
【図面の簡単な説明】
【図１】本発明を適用した自動販売機の正面図である。
【図２】本発明の自動販売機の施錠装置の補助鍵装置の鍵機構部の正面図である。
【図３】図２の補助鍵装置の鍵機構部の側面図である。
【符号の説明】
１  自動販売機
２  本体
３  側面
４  ドア
９  把手
１０  主鍵装置
１０Ａ  主鍵孔
１１  補助鍵装置
１２  ロックプレート
１３  係合溝
１４  挿通穴
１５  ロックアングル
１５Ａ  係合部
１５Ｂ  ロック穴
１６  鍵機構部
１６Ａ  補助鍵孔
１７  ロック棒
１８  連結部材
１９  コイルバネ
【図１】
0003575263.tif 000002
【図２】
0003575263.tif 000003
【図３】
0003575263.tif 000004